(57)【要約】【課題】サムネイルの生成時間を短縮できるとともに、サムネイルを光ディスク毎に記録し、且つサムネイルの内容を編集可能な光ディスク再生装置を提供する。【解決手段】本発明の光ディスク再生装置は、ＤＶＤ等の光ディスクに記録されている動画や静止画より抽出した画像からサムネイルを生成するサムネイル生成部と、サムネイルを用いて光ディスクに記録されているデータを簡略表示する一覧表示部とを備えている。さらに、光ディスクの所定の記録領域に記録されている情報から光ディスクを一意に識別するための識別情報を取得する識別情報取得手段と、光ディスクの再生が開始された際に、所定時間毎にサムネイル生成部を用いて、再生中の画像からサムネイルを生成する再生時生成部と、サムネイル生成部により生成されたサムネイルと識別情報とを関連付けた関連情報をサムネイルと共にメモリに記録するサムネイル記録部とを備えている。【選択図】図１
2009043361.tif 000002
【特許請求の範囲】
【請求項１】
記録部と、
光ディスクに記録されている画像データより抽出した静止画に対して縮小処理を施すことにより代表画像を生成する代表画像生成手段と、
代表画像の一覧を表示する一覧表示手段と、
を備えた光ディスク再生装置において、
光ディスクの所定の記録領域に記録されている情報から光ディスクを一意に識別するための識別情報を取得する識別情報取得手段と、
光ディスクの再生中に、所定の時間毎に前記代表画像生成手段を用いて、再生中の画像から代表画像を生成する再生時生成手段と、
前記代表画像生成手段により生成された代表画像と、前記識別情報取得手段により取得された識別情報とを関連付けた関連情報を前記代表画像と共に前記記録部に記録する代表画像記録手段と、
を備え、
前記一覧表示手段が代表画像の表示指示を検知した際に、前記識別情報取得手段を用いて光ディスクの識別情報を取得し、取得した前記識別情報に関連付けられている代表画像を前記関連情報を用いて判別し、前記記録部より読み出して表示すること、
を特徴とする光ディスク再生装置。
【請求項２】
前記関連情報の編集指示を受け付ける編集指示受付手段を備え、
前記編集指示受付手段が、前記識別情報に関連付けられた代表画像の追加、削除、及び並び替えに関する指示を受け、前記指示に基づいて前記関連情報の内容変更を行うこと
を特徴とする請求項１に記載の光ディスク再生装置。
【請求項３】
光ディスクの再生中において、ユーザから代表画像の生成指示を受け付ける生成指示受付手段を備え、
前記生成指示受付手段が、前記生成指示を受け付けた際に再生されている画像から前記代表画像生成手段を用いて代表画像を生成すると共に、前記代表画像記録手段を用いて前記識別情報と関連付けて前記記録部に記録すること、
を特徴とする請求項１又は請求項２に記載の光ディスク再生装置。
【請求項４】
前記再生時生成手段が、光ディスク再生中の代表画像の生成を行うかどうかの指示を受け付け、生成を行わないことが指示された場合は生成処理を行わないこと
を特徴とする請求項１〜請求項３のいずれかに記載の光ディスク再生装置。
【請求項５】
前記再生時生成手段が、光ディスクの再生中に代表画像を生成する間隔についての指示を受け付け、受け付けた前記間隔に基づいて代表画像の生成を行うこと
を特徴とする請求項１〜請求項４のいずれかに記載の光ディスク再生装置。
【請求項６】
前記一覧表示手段により表示される代表画像の一覧画面において、代表画像の選択指示を受け付け、選択された前記代表画像に関連付けられた画像を、前記代表画像が抽出された箇所から再生すること
を特徴とする請求項１〜請求項５のいずれかに記載の光ディスク再生装置。
【請求項７】
前記識別情報取得手段が、光ディスクの画像記録領域の先頭から所定バイトの画像情報を前記識別情報として用いること、
を特徴とする請求項１〜請求項６のいずれかに記載の光ディスク再生装置。
【発明の詳細な説明】
【技術分野】
【０００１】
本発明は、光ディスクに記録された画像の再生を行う光ディスク再生装置に関するものであり、特に光ディスクに記録された画像の内容をサムネイル（＝代表画像）を用いて表示可能な光ディスク再生装置に関する。
【背景技術】
【０００２】
近年、画像及び音声の再生を行うための装置として、ＤＶＤ（Digital Versatile Disk）プレーヤやＢＤ（Blu-ray Disc）プレーヤ等の光ディスク再生装置が広く普及している。これらの光ディスク再生装置は、光ディスクに記録されている静止画や動画に関する情報を簡略的にユーザに提示するための機能として、サムネイル表示機能を備えているものが多い。
【０００３】
サムネイル表示機能とは、静止画、或いは動画より抽出した画像に縮小変換を施すことによりサムネイルを生成し、タイトル一覧画面等において画像の内容を簡略的に示すために表示する機能である。これにより、ユーザは画像を再生することなく、画像の内容をある程度理解することができる。
【０００４】
サムネイルはその生成過程により、複数の種類が存在する。例えば、動画のチャプター毎に予め生成されて光ディスクに記録されているチャプターサムネイルや、光ディスク再生装置が光ディスクに含まれる画像を抽出して生成するオリジナルサムネイルや、ユーザが画像を指定することにより生成するユーザサムネイルがある。なおオリジナルサムネイル及びユーザサムネイルは、メモリ等の記録部に記録される。
【０００５】
このようにして生成されたオリジナルサムネイル、及びユーザサムネイルは、ハードディスクレコーダ等の記録装置であれば長期間保存される。しかしＤＶＤプレーヤ等の光ディスク再生装置においては、所定期間が経過したり、或いは光ディスクの交換が行われる際に消去されていた。このため、所定期間の経過毎、或いは光ディスク交換毎に、サムネイルの再生成を行わなければならなかった。
【０００６】
上記に関連して特許文献１には、サムネイル画像をすばやく表示できる画像再生装置が開示されている。この画像再生装置は、一度再生した光ディスクに対するサムネイル画像データを、その記録媒体を取り出した後も保存手段に保存し、サムネイル一覧表示の要求に応じて一覧表示する。またサムネイル制御手段は、表示要求がなされたとき、保存されているサムネイル画像データに基づくサムネイル画像を一覧表示する。
【特許文献１】特開２００４−２２８７１４号公報
【発明の開示】
【発明が解決しようとする課題】
【０００７】
しかしながら特許文献１の画像再生装置は、二回目以降のサムネイル表示の際の表示時間の短縮を行うことはできるが、初回のサムネイル生成は従来と同様の生成処理時間がかかるという問題があった。また、一度生成された光ディスク毎のサムネイルの内容を後から変更、例えば追加や削除を行う場合は、全てのサムネイルの再生成を行わなければならないという問題があった。
【０００８】
本発明は、上記の問題を鑑みてなされたものであり、サムネイルの初回生成時の処理時間を短縮できるとともに、光ディスク毎に生成されて記録されているサムネイル画像群の内容を、再生成することなく編集することが可能な光ディスク再生装置を提供することにある。
【課題を解決するための手段】
【０００９】
上記目的を達成するために本発明の光ディスク再生装置は、記録部と、光ディスクに記録されている画像データより抽出した静止画に対して縮小処理を施すことにより代表画像を生成する代表画像生成手段と、代表画像の一覧を表示する一覧表示手段とを備えた光ディスク再生装置において、光ディスクの所定の記録領域に記録されている情報から光ディスクを一意に識別するための識別情報を取得する識別情報取得手段と、光ディスクの再生中に、所定の時間毎に前記代表画像生成手段を用いて、再生中の画像から代表画像を生成する再生時生成手段と、前記代表画像生成手段により生成された代表画像と、前記識別情報取得手段により取得された識別情報とを関連付けた関連情報を前記代表画像と共に前記記録部に記録する代表画像記録手段とを備え、前記一覧表示手段が代表画像の表示指示を検知した際に、前記識別情報取得手段を用いて光ディスクの識別情報を取得し、取得した前記識別情報に関連付けられている代表画像を前記関連情報を用いて判別し、前記記録部より読み出して表示することを特徴としている。
【００１０】
これによると、本発明の光ディスク再生装置は、ＤＶＤ等の光ディスクに記録されている動画や静止画より抽出した画像に対して縮小処理を施すことによりサムネイル（＝代表画像）を生成するサムネイル生成部（＝代表画像生成手段）と、サムネイルを用いて光ディスクに記録されているデータの内容をタイトル毎、或いはチャプター毎に一覧表示する一覧表示部（＝一覧表示手段）とを備えている。
【００１１】
さらに、光ディスクの所定の記録領域に記録されている情報から光ディスクを一意に識別するための識別情報を取得する識別情報取得手段（＝識別情報取得手段）と、光ディスクの再生が開始された際に、所定時間毎、例えば五分毎にサムネイル生成部を用いて、再生中の画像からサムネイルを生成する再生時生成部（＝再生時生成手段）と、サムネイル生成部により生成されたサムネイルと識別情報とを関連付けた関連情報をサムネイルと共にメモリ（＝記録部）に記録するサムネイル記録部とを備えている。
【００１２】
さらに、一覧表示手段がサムネイルの表示指示を受け付けた際に、識別情報取得手段を用いて再生対象の光ディスクの識別情報を取得し、取得した識別情報に対応するサムネイルをメモリより読み出して表示する。なお、取得した識別情報に対応するサムネイルがメモリに記録されていない場合は、サムネイルの新規生成を行うか、或いはサムネイルを表示しないことが望ましい。
【００１３】
また、上記目的を達成するために本発明の光ディスク再生装置は、前記関連情報の編集指示を受け付ける編集指示受付手段を備え、前記編集指示受付手段が、前記識別情報に関連付けられた代表画像の追加、削除、及び並び替えに関する指示を受け、前記指示に基づいて前記関連情報の内容変更を行うことを特徴としている。
【００１４】
これによると編集指示受付部（＝編集指示受付手段）が、メモリに記録されている関連情報の編集指示を受け付ける。編集指示は、識別情報により光ディスク毎に記録されているサムネイルの追加、削除、並び替えに関するものである。これにより、サムネイル生成後にサムネイル一覧に変更を加えたい場合に、記録されているサムネイル一覧を消去して再生成する必要がない。
【００１５】
また、上記目的を達成するために本発明の光ディスク再生装置は、光ディスクの再生中において、ユーザから代表画像の生成指示を受け付ける生成指示受付手段を備え、前記生成指示受付手段が、前記生成指示を受け付けた際に再生されている画像から前記代表画像生成手段を用いて代表画像を生成すると共に、前記代表画像記録手段を用いて前記識別情報と関連付けて前記記録部に記録することを特徴としている。
【００１６】
これによると、光ディスクの再生中において、ユーザからサムネイルの生成指示を受け付ける生成指示受付部（＝生成指示受付手段）を備えている。この生成指示受付部は、生成指示を受け付けた際に表示装置に出力中である画像からサムネイル生成部を用いてサムネイルを生成して記録する。従ってユーザは、再生中に画面を見ながらボタン操作をするだけで、任意のシーンからサムネイルを生成することが可能である。
【００１７】
また、上記目的を達成するために本発明の光ディスク再生装置は、前記再生時生成手段が、光ディスク再生中の代表画像の生成を行うかどうかの指示を受け付け、生成を行わないことが指示された場合は生成処理を行わないことを特徴としている。
【００１８】
これによると、前記再生時生成部は、その動作のＯＮ／ＯＦＦを予めユーザ設定画面等で受け付け、受け付けた指示に従い、その動作を決定する。従って、サムネイルの自動生成を行いたくないユーザに対して、不要な処理を行うことがない。
【００１９】
また、上記目的を達成するために本発明の光ディスク再生装置は、前記再生時生成手段が、光ディスクの再生中に代表画像を生成する間隔についての指示を受け付け、受け付けた前記間隔に基づいて代表画像の生成を行うことを特徴としている。
【００２０】
これによると、再生時生成部は、光ディスクの再生中にサムネイルを生成する間隔、つまり何分おきにサムネイルを生成するかの指示を受け付ける。例えば五分が指定された場合は五分毎に、十分が指定された場合は十分毎にサムネイルの生成を行う。これにより、ユーザは好きな間隔でサムネイルを自動生成することが可能である。
【００２１】
また、上記目的を達成するために本発明の光ディスク再生装置は、前記一覧表示手段により表示される代表画像の一覧画面において、代表画像の選択指示を受け付け、選択された前記代表画像に関連付けられた画像を、前記代表画像が抽出された箇所から再生することを特徴としている。
【００２２】
これによると、一覧表示部により表示されるサムネイルの一覧画面においてユーザがサムネイルを選択すると、そのサムネイルが抽出されたシーンから画像の再生が開始される。従ってユーザは動画の途中からの再生を容易に指示することができる。
【００２３】
また、上記目的を達成するために本発明の光ディスク再生装置は、前記識別情報取得手段が、光ディスクの画像記録領域の先頭から所定バイトの画像情報を前記識別情報として用いることを特徴としている。
【００２４】
これによると、識別情報取得部が、光ディスクの画像記録領域の先頭データ、例えば画像データの最小単位である１０４８バイトのパックデータを取得し、これを識別情報として用いる。このようなパックデータは光ディスク毎にその内容が異なっているため、光ディスクの識別を確実に行うことができる。
【発明の効果】
【００２５】
本発明によれば、光ディスクの所定の記録領域に記録されている情報から光ディスクを一意に識別するための識別情報を取得するとともに、光ディスクの再生中に、所定時間毎にサムネイルを生成して識別情報とともに記録する。そしてサムネイルの表示指示を受け付けた際に、識別情報に対応するサムネイルをメモリより読み出して表示する。このため、光ディスクの再生中にサムネイルを行うため、サムネイル生成処理による待ち時間をユーザに感じさせることがない。また、光ディスクを交換した後でも、光ディスク毎に生成されたサムネイルが残っているため、再生成を行う必要がなく生成処理を効率化できる。
【００２６】
また本発明によれば、編集指示受付部が光ディスク毎に記録されているサムネイルの追加、削除、並び替えの指示を受け付けて実行する。このため、全てのサムネイルを再生成することなくその一部のみを編集することができるため、ユーザの利便性を向上することができる。
【００２７】
また本発明によれば、生成指示受付部が、生成指示を受け付けた際に表示装置に出力中である画像からサムネイルを生成して記録する。従ってユーザは、再生中に画面を見ながらボタン操作をするだけで容易にサムネイルを生成することができるため、ユーザの利便性を向上することができる。
【００２８】
また本発明によれば、前記再生時生成部は、その動作のＯＮ／ＯＦＦを予めユーザ設定画面等で受け付ける、サムネイルの自動生成を行いたくないユーザに対して、不要な処理を行うことがなく、処理の効率性を向上することができる。
【００２９】
また本発明によれば、光ディスクの再生中にサムネイルを生成する間隔を指定することができる。これにより、好きな間隔でサムネイルを自動生成することが可能であるため、ユーザの利便性を向上することができる。
【００３０】
また本発明によれば、一覧表示部により表示されるサムネイルの一覧画面においてユーザがサムネイルを選択すると、そのサムネイルが抽出されたシーンから画像の再生が開始される。これによりユーザの操作性を向上させることができる。
【００３１】
また本発明によれば、光ディスクの画像記録領域の先頭データ、例えば画像データの最小単位である１０４８バイトのパックデータを取得し、これを識別情報として用いる。このため、光ディスクの識別を確実に行うことができ、光ディスクの誤認識を防ぐことができる。
【発明を実施するための最良の形態】
【００３２】
以下に本発明の一実施形態を、図面を参照しながら説明する。なお、ここで示す実施形態は一例であり、本発明はここに示す実施形態に限定されるものではない。
【００３３】
〈１．内部構成について〉
図２は、本発明の一実施形態に係るＤＶＤプレーヤ１（＝光ディスク再生装置）を示すブロック構成図である。ＤＶＤプレーヤ１は、少なくとも、制御部１１、メモリ１２、ＤＶＤドライブ１３、データ入力部１４、信号処理部１５、ＯＳＤ処理部１６、画像信号重畳部１７、データ出力部１８、ＲＯＭ１９、操作部２０、及び表示部２１を含むように構成されている。
【００３４】
制御部１１は、ＤＶＤプレーヤ１の各部を制御することにより光ディスク再生処理、例えばＤＶＤメディア９１に録画された番組の再生等を統括制御するための中央処理装置である。制御部１１は、マイクロプロセッサ等の複数の演算処理装置から構成されている。制御部１１は各装置、例えば画像信号重畳部１７等の制御やデータの計算、加工処理等を行う中枢部分となっている。
【００３５】
また制御部１１は、制御部１１が備える演算処理装置上でプログラムを実行することにより実現される機能部として、図１に示す一覧表示部１１ａ〜生成指示受付部１１ｇを備えている。なお、これらの各機能部の詳細については後述する。
【００３６】
メモリ１２は、ＤＶＤプレーヤ１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は、例えば制御部１１によって再生処理が行われる際の処理データや、ユーザから受けた指示命令等を一時的に記録しておくためのバッファメモリとしての役割を持つ。
【００３７】
ＤＶＤドライブ１３は、ＣＤメディア、或いはＤＶＤメディア９１等の光ディスクに対して光学的に各種データの読み取りを行うための光学装置である。なお、光ディスクには複数の規格が存在するため、ＤＶＤドライブ１３が対応する規格に応じた光ディスクを使用しなければ、各種処理（再生処理等）を行うことができない。
【００３８】
データ入力部１４は、アンテナ装置等の外部装置から画像信号や音声信号の入力を行うための入力インタフェースである。また、画像信号や音声信号を特定の圧縮方式により圧縮したデジタル情報を入力する役割も持つ。データ入力部１４は例えば、ＲＣＡ端子、Ｓ端子、及びＤ端子等の外部接続端子を含むように構成されている。
【００３９】
信号処理部１５は、画像信号をＭＰＥＧ２等の動画圧縮方式により圧縮を行ったり、音声信号をＤｏｌｂｙ  ＡＣ−３やＬＰＣＭ等の音声圧縮方式により圧縮を行ったりすることによりデジタル情報を生成する。なお、圧縮を行う信号としては、例えばデータ入力部１４より入力された画像信号や音声信号等が圧縮対象となる。また逆に、ＤＶＤドライブ１３等から入力した圧縮デジタル情報を画像信号及び音声信号に復号する機能も持つ。
【００４０】
ＯＳＤ処理部１６は文字画やアイコン等の静止画を表示するための画像信号を生成する。具体的には例えば、ユーザが録画の予約を行うための録画予約画面や、動画データより抽出したサムネイル画像を表示するための画像信号を生成する。ＯＳＤ処理部１６により生成された画像信号は後述する画像信号重畳部１７に与えられ、その他の画像信号に重畳される。
【００４１】
画像信号重畳部１７は、信号処理部１５から与えられた画像信号と、ＯＳＤ処理部１６から与えられた画像信号とを重畳し、原色信号に変換する。画像信号重畳部１７は例えば、ＬＳＩチップ等の集積回路により実現される。画像信号重畳部１７は例えば、信号処理部１５より与えられたＤＶＤ再生画像と、ＯＳＤ処理部１６より与えられたメニュー画面用の文字画等を重畳する。そして一つの画像信号に変換し、データ出力部１８に与える。
【００４２】
データ出力部１８は、ＤＶＤプレーヤ１に接続された液晶モニタ等の画像表示装置や、スピーカ等の音声装置に対して、画像信号及び音声信号を出力するための出力インタフェースである。ＲＯＭ１９は、情報の読み出しのみが可能な記録媒体である。ＲＯＭ１９には例えば、制御部１１を用いて画像再生処理等を行うためのプログラムデータや、工場出荷時のＤＶＤプレーヤ１の初期設定情報等が記録されている。
【００４３】
操作部２０は、ユーザがＤＶＤプレーヤ１に対して各種指示を行うための操作、例えば再生指示や表示切り替え指示等を行うためのものである。操作部２０は通常、数字ボタンやカーソルボタン等の複数のボタンから構成されている。表示部２１は、ＤＶＤプレーヤ１が保持する各種情報、例えば動作状態や動画の再生時間等をユーザに対して表示するためのものである。表示部２１は例えば、液晶パネル等の小型で消費電力の少ない表示装置を用いることが望ましい。
【００４４】
〈２．機能部の構成について〉
ここで、本発明の一実施形態に係るＤＶＤプレーヤ１におけるサムネイル表示処理を実施するための各機能部の関係を、図１の機能ブロック図を用いながら説明する。
【００４５】
図１に示すように本発明のサムネイル表示処理は少なくとも、制御部１１が備える一覧表示部１１ａ、サムネイル生成部１１ｂ、識別情報取得部１１ｃ、サムネイル記録部１１ｄ、再生時生成部１１ｅ、編集指示受付部１１ｆ、生成指示受付部１１ｇと、メモリ１２と、ＤＶＤドライブ１３と、信号処理部１５と、ＯＳＤ処理部１６と、画像信号重畳部１７とにより実施される。
【００４６】
一覧表示部１１ａは、例えばＤＶＤドライブ１３にＤＶＤメディア９１が挿入された場合、或いはユーザよりＤＶＤメディア９１に含まれる動画の一覧表示指示を受け付けた場合等に、ＤＶＤメディア９１に記録されている動画のサムネイルをＯＳＤ処理部１６を用いて表示する。なお、表示するサムネイルは、後述するサムネイル記録部１１ｄにより予めメモリ１２に記録されているＤＶＤメディア９１毎のサムネイルを使用する。なおメモリ１２にサムネイルが記録されていない場合は、新規にサムネイルの生成を行うか、或いはサムネイルを非表示とするかを予めユーザが選択できることが望ましい。
【００４７】
サムネイル生成部１１ｂは、ＤＶＤメディア９１に記録されている動画や静止画より画像を抽出して縮小処理を施すことによりサムネイルを生成する。生成したサムネイルは、サムネイル記録部１１ｄに与えられる。
【００４８】
識別情報取得部１１ｃは、ＤＶＤメディア９１より、ＤＶＤメディア９１を一意に識別するための識別情報を取得する。識別情報としては例えば、ＤＶＤメディア９１の画像記録領域の先頭に記録されている画像データの最小単位である１０４８バイトのパックデータ等を用いる。取得された識別情報は、サムネイル記録部１１ｄに与えられる。
【００４９】
サムネイル記録部１１ｄは、サムネイル生成部１１ｂより与えられたサムネイルと、識別情報取得部１１ｃより与えられた識別情報とを関連付けた関連情報を、サムネイルと共にメモリ１２に記録する。これによりサムネイルを、ＤＶＤメディア９１毎に個別に記録することができる。従ってＤＶＤメディア９１が交換された場合であっても、ＤＶＤメディア９１から識別情報を取得することにより、そのＤＶＤメディア９１に対応するサムネイルをメモリ１２から読み出すことができる。
【００５０】
再生時生成部１１ｅは、ＤＶＤメディア９１の再生が開始された際に、所定時間の経過毎、例えば五分毎や十分毎に、サムネイル生成部１１ｂを用いて再生中のシーンの動画からサムネイルの生成を行う。なお、経過時間を計測するための基準となる始点としては、ユーザ操作による再生開始点であってもよいし、或いはＤＶＤメディア９１の動画データの先頭、つまり動画の冒頭シーン（＝再生時間が０分である時点）であってもよい。なお再生時生成部１１ｅは、上記の自動サムネイル生成機能の実行のＯＮ／ＯＦＦを予めユーザより受け付けることにより、その動作を切替可能となっている。
【００５１】
編集指示受付部１１ｆは、サムネイル記録部１１ｄによって記録された関連情報の編集指示を受け付ける。これにより、ＤＶＤメディア９１毎に記録されているサムネイルの削除、追加、及び表示順序のソート等を行うことができる。具体的には例えば、ユーザが操作部２０を用いてサムネイル画像の編集指示を行った場合に、その指示を編集指示受付部１１ｆが受け付け、指示に従ってサムネイル及び関連情報の編集を行う。なお、編集結果はメモリ１２に記録される。
【００５２】
生成指示受付部１１ｇは、動画データの再生中に、ユーザの手動操作によるサムネイル生成指示を受け付ける。具体的には例えば、ユーザが操作部２０を用いてサムネイル生成ボタンを操作すること等によって、再生中の画像（＝表示画面に表示されている画像）からサムネイル画像が生成される。生成されたサムネイル画像は、再生時生成部１１ｅにより生成されるサムネイルと共に、識別情報と関連付けられてメモリ１２に記録される。
【００５３】
〈３．サムネイル表示画面について〉
ここで、本発明の一実施形態に係るＤＶＤプレーヤ１におけるサムネイル表示画面の一例を、図３〜図５の画面図を用いながら説明する。なお以下に示すサムネイル表示画面は、例えばＤＶＤドライブ１３にＤＶＤメディア９１が装着された場合や、或いはユーザからチャプター一覧画面等の表示指示を受け付けた場合等に表示される。
【００５４】
図３に示すように本発明のＤＶＤプレーヤ１が生成するサムネイル表示画面５０には少なくとも、サムネイル５１（＝代表画像）、及びカーソル５２を含むように構成されている。なお図３〜５には図示していないが、この他にタイトルや再生時間、操作メニューを表示するための文字情報がＯＳＤ処理部１６によって生成されて表示されている形態であってもよい。
【００５５】
図３には、サムネイル記録部１１ｄによってメモリ１２に記録された六つのサムネイル、サムネイル５１ａ〜サムネイル５１ｆが表示されている。ユーザは操作部２０を用いてカーソル５２を操作することにより、サムネイルが示すシーンからの再生開始や、サムネイルの削除、追加等を行うことができる。
【００５６】
図３において例えばサムネイル５１ｅを削除する操作が行われた場合、サムネイル表示画面５０は図４に示す状態となる。ここではサムネイル５１ｅの存在した位置にサムネイル５１ｆが移動し、その右側が空白状態となっている。
【００５７】
図４においてサムネイルの追加操作が行われた場合、サムネイル表示画面５０は図５に示す状態となる。ここではサムネイル５１ｇが追加され、サムネイル５１ｆの右側に表示されている。なおサムネイルの追加は、例えばユーザが動画の再生時間を指定したり、或いは動画の再生中にサムネイル追加ボタンを押下することなどにより行われる。
【００５８】
図３に示すサムネイル表示画面において編集操作が行われて図４或いは図５に示す状態に変化した場合、編集指示受付部１１ｆはこれらのユーザ操作を反映したサムネイル表示画面を表示するためのデータ、具体的にはサムネイル及び関連情報をメモリ１２に記録し、編集前の古い関連情報を消去する。また、不要となったサムネイルも削除することが望ましい。
【００５９】
〈４．サムネイルの生成処理について〉
ここで、本発明の一実施形態に係るＤＶＤプレーヤ１におけるサムネイル生成処理について、図１及び図２のブロック図と、図６のフロー図とを用いながら説明する。
【００６０】
図６は、本発明の一実施形態に係るサムネイルの生成処理フローを示したフローチャートである。本処理は、ＤＶＤプレーヤ１がＤＶＤドライブ１３に挿入されたＢＤメディア９１の再生処理を行うことにより開始される。
【００６１】
本処理の開始後、生成指示受付部１１ｇはステップＳ１１０において、ユーザ操作によるサムネイルの生成指示を検知したかどうかの判定を行う。サムネイルの生成指示は、例えば操作部２０が備えるサムネイル生成ボタンがユーザにより押下された場合等に発行される。生成指示を検知した場合、後述するステップＳ１４０に移行し、生成指示検知時に再生中であった画像からサムネイル生成部１１Ｂを用いてサムネイルを生成する。
【００６２】
生成指示を検知していない場合、再生時生成部１１ｅはステップＳ１２０において、自動サムネイル生成機能がＯＮに設定されているかどうかの判定を行う。ＯＮになっていない場合は、後述するステップＳ１５０に移行する。
【００６３】
ＯＮになっている場合、再生時生成部１１ｅはステップＳ１３０において、再生が開始されてから所定の時間が経過したかどうかの判定を行う。例えば五分毎にサムネイルを生成するように予め設定されている場合は、五分、十分、十五分といった五分の倍数の時間が経過したかどうかの判定を行う。或いは、前回サムネイルを自動生成した時刻をメモリ１２に記録しておき、その時刻から所定時間が経過したかを判定する形態でもよい。
【００６４】
所定時間が経過したと判定された場合、再生時生成部１１ｅはステップＳ１４０において、所定時間経過時に再生中であった画像からサムネイルを生成する。逆に所定時間が経過していないと判定された場合、ステップＳ１５０に移行し、再生処理の停止指示が検知されたかどうかの判定を行う。なお再生処理の停止指示は、例えばユーザが再生停止ボタンを押下した場合や、ＤＶＤプレーヤ１の電源停止が指示された場合等に発行される。
【００６５】
再生停止指示を検知していない場合、再びステップＳ１１０に移行し、再生処理及びサムネイル生成処理を継続して行う。再生停止指示を検視した場合、識別情報取得部１１ｃはステップＳ１６０において、ＤＶＤドライブ１３に装着されているＤＶＤメディア９１より識別情報の取得を行う。取得された識別情報は、サムネイル記録部１１ｄに与えられる。
【００６６】
次にサムネイル記録部１１ｄは、ステップＳ１４０で生成された一又は複数のサムネイルと、ステップＳ１６０で取得された識別情報と関連づける。そしてステップＳ１７０において、関連付けたサムネイル及び関連情報をメモリ１２に記録した後、本処理を終了する。
【００６７】
〈５．サムネイルの表示処理及び編集処理について〉
ここで、本発明の一実施形態に係るＤＶＤプレーヤ１におけるサムネイル表示処理及び生成処理について、図１及び図２のブロック図と、図３〜図５の画面図と、図７のフロー図とを用いながら説明する。
【００６８】
図７は、本発明の一実施形態に係るサムネイルの表示処理及び編集処理の処理フローを示したフローチャートである。本処理は、ＢＤメディア９１がＤＶＤドライブ１３に挿入されたことを検知することにより開始される。
【００６９】
本処理の開始後、識別情報取得部１１ｃはステップＳ２１０において、ＤＶＤドライブ１３に装着されているＤＶＤメディア９１より識別情報の取得を行う。取得された識別情報は一覧表示部１１ａに与えられる。
【００７０】
次に一覧表示部１１ａはステップＳ２２０において、識別情報取得部１１ｃより与えられた識別情報に対応する関連情報をメモリ１２より読み出す。該当する関連情報が存在しない場合（ステップＳ２３０）、本処理を終了する。該当する関連情報がある場合、その関連情報が示すサムネイルをメモリ１２より読み出す。そしてステップＳ２４０において、サムネイルを一覧表示する。この結果、例えば図３に示すようなサムネイル表示画面が表示される。
【００７１】
次に制御部１１はステップＳ２５０において、サムネイルの選択指示を検知したかどうかの判定を行う。選択指示は、例えばユーザが操作部２０に含まれる操作ボタンによりカーソル５２を移動させ、任意のサムネイルにカーソルがあたっている状態で決定ボタンを押下することなどによって発行される。
【００７２】
この選択指示を検知した制御部１１はステップＳ２５１において、サムネイルの抽出元の動画を、サムネイルの画像が示すシーンから再生する。例えば図３に示す例では、サムネイル５１ａが選択されることにより、ゴルフのシーンから再生が開始される。なお、サムネイル選択によって再生が開始された場合は、先述の図６に示すサムネイル自動生成処理は行わないことが望ましいが、ユーザ設定によって予め選択できる形態であってもよい。
【００７３】
ステップＳ２５０においてサムネイルの選択指示が検知されなかった場合、編集指示受付部１１ｆはステップ２６０において、サムネイルの編集指示を受け付けたかどうかの判定を行う。編集指示は、例えばＯＳＤ表示される設定メニューにおいて、ユーザが操作部２０を用いて、サムネイル編集の実行を選択した場合等に発行される。
【００７４】
ステップＳ２６０において編集指示が検知されなかった場合、本処理を終了する。編集指示が検知された場合、編集指示受付部１１ｆはステップＳ２７０において、サムネイルの編集モードに移行する。そしてユーザからの編集指示を待ち受ける状態となる。編集モードにおいて実行可能な操作としては、例えばサムネイルの削除、追加、並べ替え等が挙げられる。これにより、例えば図３に示すサムネイル表示画面を、図４及び図５に示すような状態に変更することができる。
【００７５】
次に編集指示受付部１１ｆはステップＳ２８０において、受け付けた編集内容をメモリ１２に記録されているサムネイル及び関連情報に反映した後、本処理を終了する。なお、編集前の関連情報、及び不要となったサムネイル画像は消去されることが望ましい。
【００７６】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００７７】
従って本発明は、以下の形態にも適用可能である。
（Ａ）本実施形態では、サムネイルを生成する対象データ動画として説明しているが、静止画を生成対象にする形態であってもよい、また、動画と静止画が混在している光ディスクからサムネイル一覧を生成して表示する形態であってもよい。
【００７８】
（Ｂ）本実施形態では、サムネイル生成処理、サムネイル表示処理、及びサムネイル編集処理に関わる各種機能部が、マイクロプロセッサ等の演算処理装置上でプログラムを実行することにより実現されているが、各種機能部が複数の回路により実現される形態でもよい。
【００７９】
（Ｃ）本実施形態では、光ディスク再生装置としてＤＶＤプレーヤ１を例に挙げているが、重畳表示機能を備えたこれ以外の光ディスク装置において本発明の隠蔽処理を実施する形態でもよい。例えば、ＢＤ−Ｒプレーヤや、ＨＤ−ＤＶＤプレーヤにおいて実施する形態であってもよい。
【図面の簡単な説明】
【００８０】
【図１】は、本発明の光ディスク再生装置が備える機能部の構成を示す機能ブロック図である。
【図２】は、本発明の光ディスク再生装置の内部構造を示す構成図である。
【図３】は、本発明のサムネイル表示画面の一例を示した画面図である。
【図４】は、本発明のサムネイル表示画面の一例を示した画面図である。
【図５】は、本発明のサムネイル表示画面の一例を示した画面図である。
【図６】は、本発明の光ディスク再生装置のサムネイル生成処理を示したフロー図である。
【図７】は、本発明の光ディスク再生装置のサムネイル表示処理及び編集処理を示したフロー図である。
【符号の説明】
【００８１】
１      ＤＶＤプレーヤ（光ディスク再生装置）
１１    制御部
１１ａ  一覧表示部（一覧表示手段）
１１ｂ  サムネイル生成部（代表画像生成手段）
１１ｃ  識別情報取得部（識別情報取得手段）
１１ｄ  サムネイル記録部（代表画像記録手段）
１１ｅ  再生時生成部（再生時生成手段）
１１ｆ  編集指示受付部（編集指示受付手段）
１１ｇ  生成指示受付部（生成指示受付手段）
１２    メモリ（記録部）
【図１】
2009043361.tif 000003
【図２】
2009043361.tif 000004
【図６】
2009043361.tif 000005
【図７】
2009043361.tif 000006
【図３】
2009043361.tif 000007
【図４】
2009043361.tif 000008
【図５】
2009043361.tif 000009